(57)【要約】【課題】本発明はプールサイドのような劣悪な環境でも情報の入出力が可能であり、環境的な要因による誤作動や寿命の低下も防止できる情報処理システムを提供する。【解決手段】コンピュータの動作に適した環境に維持される管理領域５には、所定のプログラムに基づく演算処理を実行するコンピュータ本体１５を設置する。管理領域５とは異なる環境の温浴領域３には、所定の通信装置１６ａ，１６ｂ，１７を介してコンピュータ本体１５に対する情報の入力及び／又は出力を行なう周辺機器１０，１３を含んだ端末ユニット７を設置する。端末ユニット７は温浴領域３の環境に対して当該端末ユニット７の内部を隔離する筐体１４を含むようにする。【選択図】　　　図１
2004054826.tif 000002
【特許請求の範囲】
【請求項１】
コンピュータの動作に適した環境に維持される第１の領域に設置され、所定のプログラムに基づく演算処理を実行するコンピュータ本体と、前記第１の領域とは異なる環境の第２の領域に設置され、所定の通信手段を介して前記コンピュータ本体に対する情報の入力及び／又は出力を行なう周辺機器を含んだ端末ユニットとを備え、前記端末ユニットは前記第２の領域の環境に対して当該端末ユニットの内部を隔離する筐体を含んでいることを特徴とする情報処理システム。
【請求項２】
前記端末ユニットの前記筐体の内部には、前記周辺機器として入力装置と表示装置とが収容されていることを特徴とする請求項１に記載の情報処理システム。
【請求項３】
前記表示装置としてフラットパネルディスプレイが使用され、前記表示装置の画面上には前記入力装置としてのタッチパネルが取り付けられ、前記フラットディスプレイパネルは前記タッチパネルの操作面が前記筐体の外面に露出するようにして前記筐体に取り付けられ、前記タッチパネルの周囲は前記筐体の内部に対して密封されていることを特徴とする請求項２に記載の情報処理システム。
【請求項４】
前記第２の領域は水場を含んでおり、前記端末ユニットは前記水場の周囲に設置されていることを特徴とする請求項１〜３のいずれか１項に記載の情報処理システム。
【請求項５】
前記筐体の内部を前記第１の領域と通じさせて当該内部を換気する換気設備を備えていることを特徴とする請求項１に記載の情報処理システム。
【請求項６】
前記換気設備は、前記第１の領域と前記筐体の内部とを結ぶ流路を形成する流路形成手段と、前記第１の領域と前記筐体の内部との間に前記流路を介した空気流を形成するファン装置と、を備えていることを特徴とする請求項５に記載の情報処理システム。
【請求項７】
前記通信手段は通信ケーブルを介して前記コンピュータ本体と前記周辺機器とを接続するように構成され、前記通信ケーブル、及び前記周辺機器へ電源を供給する電源ケーブルの少なくともいずれか一方が前記流路を介して前記第１の領域から前記筐体内まで配線されていることを特徴とする請求項６に記載の情報処理システム。
【請求項８】
前記第２の領域には、水又は湯を蓄える槽がその外周側の壁部の少なくとも一部をフロア下に埋め込むようにして設置され、前記端末ユニットは前記壁部の上面に設置され、前記流路形成手段は、前記フロア下で前記壁部を取り囲むように配管されるとともに一端が前記第１の領域まで延ばされた本管と、前記槽の壁部に埋め込まれ、一端が前記筐体の内部に接続され、他端が前記第本管に接続される支管とを備えていることを特徴とする請求項７に記載の情報処理システム。
【請求項９】
前記槽の壁部の上面には複数の端末にユニットが当該壁部の周方向に間隔を空けて設置され、前記本管は前記複数の端末ユニットの間で共用され、前記支管は前記端末ユニット毎に設けられていることを特徴とする請求項８に記載の情報処理システム。
【請求項１０】
前記本管が二本設けられるとともに、各本管に対して前記支管が設けられ、前記二本の本管のうちいずれか一方の本管と、その本管に接続された支管とが前記筐体の内部に空気を導く吸気管として、他方の本管とその本管に接続された支管とが前記筐体から空気を排出する排気管としてそれぞれ使用されていることを特徴とする請求項８又は９に記載の情報処理システム。
【請求項１１】
前記吸気管又は前記排気管のいずれか一方を介して通信ケーブルが配線され、前記吸気管又は前記排気管のいずれか他方を介して前記電源ケーブルが配線されていることを特徴とする請求項１０に記載の情報処理システム。
【発明の詳細な説明】
【０００１】
【発明の属する技術分野】
本発明は、プールや温浴施設等の水場に設置可能な情報処理システムに関する。
【０００２】
【従来技術】
プールや温浴施設における水中運動の指導方法として、水中で行なうべき運動（エクササイズ）の方法や手順が表示された水中運動指導パネルをプールサイドに設置し、そのパネルの内容を利用者に確認させながら指定された手順でエクササイズを実施させることが提案されている（例えば、特開２００１−１８８４８０号公報参照）。一方、トレーニングジムや家庭に設置されるエクササイズマシンには、コンピュータがユーザの身体能力や運動履歴を参照してユーザに適切なトレーニング方法を提示するものが少なからず存在する。
【０００３】
【発明が解決しようとする課題】
プールや温浴施設に表示パネルを設置するだけでは画一的なエクササイズしかユーザに案内することができず、ユーザ毎の個別指導には限界がある。そこで、これらの施設においてもコンピュータを利用した指導システムの導入が望まれる。しかし、プールや浴槽の周囲は高温多湿であり、塩素ガス等の消毒剤が散布されることもある。こうした劣悪な環境からコンピュータを守るため、コンピュータシステムの全体をハウジングに収容してプールサイド等に設置した場合には、コンピュータから放出される熱がハウジングの内部にこもり、コンピュータが誤作動したり、その寿命が低下するおそれがある。
【０００４】
そこで、本発明はプールサイドのような劣悪な環境でも情報の入出力が可能であり、環境的な要因による誤作動や寿命の低下も防止できる情報処理システムを提供することを目的とする。
【０００５】
【課題を解決するための手段】
以下、本発明の情報処理システムについて説明する。なお、本発明の理解を容易にするために添付図面の参照符号を括弧書きにて付記するが、それにより本発明が図示の形態に限定されるものではない。
【０００６】
本発明は、コンピュータの動作に適した環境に維持される第１の領域（５）に設置され、所定のプログラムに基づく演算処理を実行するコンピュータ本体（１５）と、前記第１の領域とは異なる環境の第２の領域（３）に設置され、所定の通信手段（１６ａ，１６ｂ，１７）を介して前記コンピュータ本体に対する情報の入力及び／又は出力を行なう周辺機器（１０，１３）を含んだ端末ユニット（７）とを備え、前記端末ユニットは前記第２の領域の環境に対して当該端末ユニットの内部を隔離する筐体（１４）を含むことにより、上述した課題を解決する。
【０００７】
この発明によれば、コンピュータの動作に適した第１の領域にコンピュータ本体が設置されるので、コンピュータ本体が動作環境の不適合に起因して誤作動し、又は故障するおそれがない。端末ユニットは第１の領域とは異なる環境の第２の環境に設置されるが、その端末ユニットの内部は第２の領域の環境から筐体により隔離されるので、端末ユニットに内蔵された周辺機器がその第２の環境の影響を直接に受けるおそれがない。従って、端末ユニットを設置できる環境の制約が緩和され、プールや浴槽のような温度や水分あるいは特定の雰囲気で満たされる環境に端末ユニットを設置して、必要な情報の入力及び／又は出力を第２の領域で行なうことができる。
【０００８】
本発明において、前記端末ユニットの前記筐体の内部には、前記周辺機器として入力装置（１２，１３）と表示装置（１１）とが収容されてもよい。前記表示装置としてフラットパネルディスプレイ（１１）が使用され、前記表示装置の画面上には前記入力装置としてのタッチパネル（１２）が取り付けられ、前記フラットディスプレイパネルは前記タッチパネルの操作面（１２ａ）が前記筐体の外面に露出するようにして前記筐体に取り付けられ、前記タッチパネルの周囲は前記筐体の内部に対して密封されてもよい。この場合には、表示装置を薄く構成できるので筐体の設置場所の自由度が高まり、プールの外壁の上面のような手狭な場所にも端末ユニットを設置できる。また、タッチパネルの操作面は一般にシートに覆われ、接点や可動部が直接外部に露出していないので、水分、水蒸気あるいは各種のガス雰囲気に対する耐久性が高く、本発明の情報処理システムの入力装置として好適に使用できる。本発明の情報処理システムにおいて、前記第２の領域は水場を含んでおり、前記端末ユニットは前記水場の周囲に設置されてもよい。
【０００９】
また、本発明の情報処理システムにおいては、前記筐体の内部を前記第１の領域と通じさせて当該内部を換気する換気設備（２７）を備えてもよい。この場合には、端末ユニットの内部を第１の環境とほぼ同一環境に維持し、端末ユニットの信頼性をより高めることができる。
【００１０】
前記換気設備は、前記第１の領域と前記筐体の内部とを結ぶ流路を形成する流路形成手段（３２，３３，３５，３６）と、前記第１の領域と前記筐体の内部との間に前記流路を介した空気流を形成するファン装置（２５，２６）と、を備えてもよい。この場合には、ファン装置を利用して強制的に空気流を形成することができ、端末ユニットの内部を第１の領域と同様の良好な環境に確実に維持することができる。
【００１１】
前記通信手段は通信ケーブル（１７）を介して前記コンピュータ本体と前記周辺機器とを接続するように構成され、前記通信ケーブル、及び前記周辺機器へ電源を供給する電源ケーブル（２３）の少なくともいずれか一方が前記流路を介して前記第１の領域から前記筐体内まで配線されてもよい。この場合には、配線用の設備と換気用の設備とを少なくとも一部において共用し、それにより本発明の情報処理システムを設置する手間及びコストを削減することができる。
【００１２】
前記第２の領域には、水又は湯を蓄える槽（２）がその外周側の壁部（３０）の少なくとも一部をフロア下に埋め込むようにして設置され、前記端末ユニットは前記壁部の上面に設置され、前記流路形成手段は、前記フロア下で前記壁部を取り囲むように配管されるとともに一端が前記第１の領域まで延ばされた本管（３２，３３）と、前記槽の壁部に埋め込まれ、一端が前記筐体の内部に接続され、他端が前記第本管に接続される支管（３５，３６）とを備えてもよい。この場合には、槽の周囲に配管が露出せず、利用者の邪魔にならずに端末ユニットを設置することができる。
【００１３】
前記槽の壁部の上面には複数の端末にユニットが当該壁部の周方向に間隔を空けて設置され、前記本管は前記複数の端末ユニットの間で共用され、前記支管は前記端末ユニット毎に設けられてもよい。この場合には、本管を複数の端末ユニット間で共用することにより、本管を施工する手間を軽減し、コストダウンを図ることができる。また、端末ユニットの増設時には支管のみを追加すればよく、増設が容易に行える。
【００１４】
前記本管が二本設けられるとともに、各本管に対して前記支管が設けられ、前記二本の本管のうちいずれか一方の本管（３２）と、その本管に接続された支管（３５）とが前記筐体の内部に空気を導く吸気管として、他方の本管（３３）とその本管に接続された支管（３６）とが前記筐体から空気を排出する排気管としてそれぞれ使用されてもよい。この場合には、本管と支管とを利用して吸気管及び排気管を互いに分けて構成し、効率よく換気を行なうことができる。
【００１５】
前記吸気管又は前記排気管のいずれか一方を介して通信ケーブルが配線され、前記吸気管又は前記排気管のいずれか他方を介して前記電源ケーブルが配線されてもよい。これにより、換気用の配管と配線用の配管とを分けて設ける必要がなくなり、情報処理システムを施工する手間及びコストがさらに軽減される。
【００１６】
【発明の実施の形態】
図１は本発明の情報処理システムが適用された温浴施設の一実施形態を示している。図１の温浴施設１は、円形のプール２が設置された温浴領域３と、その温浴領域３に対して壁４で仕切られた管理領域５とを備えている。管理領域５は第１の領域に相当し、その内部は空調機によってコンピュータが動作するに適した環境に維持されている。温浴領域３は第２の領域に相当し、プール２がその水場に相当する。なお、管理領域５は単一の部屋として構成されてもよいし、複数の部屋にさらに仕切られてもよい。プール２の外周には複数の端末ユニット７…７が周方向にほぼ等間隔で設置され、管理領域５には各端末ユニット７に対応付けて本体ユニット８が設置されている。端末ユニット７と本体ユニット８とは１：１に対応付けてもよいし、複数の端末ユニット７を単一の本体ユニット８に対応付けてもよい。
【００１７】
図２に示すように、端末ユニット７は、表示装置としてのモニタ１１と、入力装置としてのタッチパネル１２及びリードライタ１３とを周辺機器として備えるとともに、それらの周辺機器を収容する筐体１４を備えている。筐体１４の具体的な構成は後述する。モニタ１１は平板状のハウジングに収容された液晶ディスプレイである。モニタ１１は水の侵入を所定のレベルで阻止する防水構造を有している。なお、液晶ディスプレイに代え、ＬＥＤ（発光ダイオード）、ＥＬ（Ｅｌｅｃｔｒｏ　Ｌｕｍｉｎｅｓｃｅｎｃｅ）、ＶＦＤ（蛍光表示管）、ＰＤＰ（プラズマディスプレイパネル）等の種々のフラットパネルディスプレイをモニタ１１として使用してよい。
【００１８】
タッチパネル１２は、透明なシート状に構成された操作部１２ａへの接触位置に応じた信号を出力する周知の入力装置である。タッチパネル１２もモニタ１１と同等の防水性能を有している。タッチパネル１２はモニタ１１の画面上に一体に取り付けられており、モニタ１１とタッチパネル１２とで単一の入出力装置１０を構成している。リードライタ１３は、マイクロコンピュータを内蔵した管理タグ（不図示）に対して情報の読み取り及び書き込みを非接触で行なう入出力装置である。管理タグは温浴施設１のユーザに配布され、会員番号等の各種の情報を記憶している。リードライタ１３として使用可能な非接触型の入出力装置としては、例えばリードライタ側から送出される電磁波を管理タグに内蔵されたコイルで受信し、電磁誘導作用により生じた電流を管理タグのマイクロコンピュータに供給して必要な情報を交換するシステムが知られている。リーダライタに代え、管理タグに付されたバーコード等を読み取るリーダーを設けてもよい。
【００１９】
一方、本体ユニット８はコンピュータ本体１５を備えている。コンピュータ本体１５はＣＰＵ、主記憶装置、外部記憶装置等を内蔵し、各種の情報の処理に必要な演算を実行する。コンピュータ本体１５はユーザの健康管理に必要な各種の情報を集積したデータベースに接続される。また、コンピュータ本体１５の外部記憶装置には、データベースに基づいてユーザ毎に適切なエクササイズの手順又は方法を提示する教習指示用のプログラムがインストールされている。これらのプログラムは端末ユニット７にて入力される情報に応じて適宜に実行され、そのプログラムによる処理結果は端末ユニット７のモニタ１１に表示される。ユーザはタッチパネル１２を操作して必要な情報を入力し、あるいはモニタ１１の表示を参照して必要な情報を入手することができる。
【００２０】
コンピュータ本体１５と端末ユニット７内のモニタ１１、タッチパネル１２及びリードライタ１３とは所定の通信手段を介して接続される。一般的なパーソナルコンピュータにおいて、コンピュータ本体とモニタ等の周辺機器との間で交換される信号は短距離間の伝送を前提として規格化された信号であり、接続ケーブルの長さは信号の減衰やノイズの混入を考慮すれば数ｍが限界である。１０ｍを越える長距離に亘ってコンピュータ本体とモニタ等の周辺機器を直接に接続することは不可能である。そこで、この実施形態では、端末ユニット７及び本体ユニット８にそれぞれコンバータ１６ａ，１６ｂを設置し、コンピュータ本体１５とモニタ１１等との間でやり取りされる信号をコンバータ１６ａ，１６ｂで長距離伝送に適した所定の通信信号に変換し、その変換された通信信号をＬＡＮケーブル１７（カテゴリ５規格）を介して送受信している。この種のコンバータは市販されており、例えば米国のブラックボックス社によるカテゴリ５ＫＶＭマイクロ・エクステンダ・キットが使用できる。コンピュータ本体１５と端末ユニット７との距離が１００ｍ以上の場合には、カテゴリ５規格のＬＡＮケーブル１７に代えて光ファイバーを使用することが望ましい。
【００２１】
管理領域５と端末ユニット７の筐体１４の内部とは一対の配管２０，２１を介して接続されている。ＬＡＮケーブル１７は一方の配管２０を介して管理領域５から筐体１４の内部まで配線される。また、他方の配管２１には、管理領域５に設置された分電盤２２からモニタ１１等の周辺機器に電源を供給するための電源ケーブル２３が通される。さらに、配管２０の管理領域５への開口端部、及び配管２１の筐体１４内部への開口端部には、それぞれ配管２０，２１から空気を吸い込むファン装置２５，２６が設けられている。これらのファン装置２５，２６により、図２に破線の矢印で示すように管理領域５から配管２１、筐体１４、及び配管２０を経由して管理領域５に戻る空気流が形成されて筐体１４の内部が換気される。これにより、筐体１４の内部は管理領域５とほぼ同一の環境に維持される。従って、配管２０，２１及びファン装置２５，２６によって換気設備２７が構成される。なお、空気流の形成に支障がなければ、ファン装置２５，２６の少なくともいずれか一方を省略してよい。ファン装置２５，２６は配管２１の管理領域５への開口端部及び配管２０の筐体１４内への開口端部にそれぞれ設置してもよい。
【００２２】
次に、図１、図３及び図４を参照して配管２０，２１の具体的な施工構造を説明する。図３に示すように、プール２の外周の壁部３０の下部は、温浴領域３のフロア３１の下に埋め込まれ、そのフロア下部分の壁部３０の外周に２本の本管としてのＰＦ管３２，３３が設けられている。図１に示すようにＰＦ管３２，３３は壁部３０をほぼ一周するように設けられ、それぞれの一端は管理領域５まで延ばされている。管理領域５のファン装置２５はＰＦ管３３の開口端部に設置される。
【００２３】
図３に示すように、壁部３０の上面には端末ユニット７を取り付けるための凹部３４が設けられる。壁部３０の内部には、各凹部３４に対応して、支管としての一対のＣＤ管３５，３６が埋め込まれている。ＣＤ管３５，３６の上端は凹部３４の底面３４ａよりも上方に突き出される。また、一方のＣＤ管３５の下端は一方のＰＦ管３２に接続され、他方のＣＤ管３６の下端は他方のＰＦ管３３に接続される。従って、各端末ユニット７に対してはＰＦ管３２及びＣＤ管３５によって吸気管としての配管２１が構成され、ＰＦ管３２及びＣＤ管３５によって排気管としての配管２０が構成される。なお、図４に示したように、凹部３４の底面には端末ユニット７の筐体１４を固定するための雌ねじアンカー３７…３７が設けられる。
【００２４】
次に、図５〜図７を参照して端末ユニット７の筐体１４の具体的構造を説明する。これらの図に示すように、筐体１４は、脚部４０とその脚部４０に支持される本体部４１とを備えている。脚部４０は下端側が開口する角型の筒状に構成され、その内部にＣＤ管３５，３６の上端部を受け入れるようにして凹部３４に固定される。脚部４０からの水分の侵入を阻止するため、脚部４０の周囲には凹部３４との隙間を埋めるようにコーキング剤３８が充填される。脚部４０の前面（図５に示した面）の内側にはリードライタ１３が取り付けられる。リードライタ１３を外部から視認できるように、脚部４０の前面には抜き窓４０ａが形成され、その抜き窓４０ａは透明なアクリル板４２にて塞がれる。また、ファン装置２６も脚部４０内に設置される。
【００２５】
脚部４０と本体部４１とはヒンジ４３を介して連結され、本体部４１はそのヒンジ４３の水平方向の軸線を中心として前後方向（図７の左右方向）に幾らか揺動可能である。筐体１４の背面側（図７の右側）において脚部４０と本体部４１との間には２本のフレキシブルチューブ４４，４５が設けられる。ＣＤ管３５，３６から脚部４０の内部に導かれるＬＡＮケーブル１７及び電源ケーブル２３はこれらのフレキシブルチューブ４４，４５を介して本体部４１の内部に導かれる。
【００２６】
本体部４１の前面側には矩形の開口部４１ａが形成される。図７に示すように、開口部４１ａには入出力装置１０が、その表面のタッチパネル１２を開口部４１ａから筐体１４の外面に露出させて取り付けられている。従って、タッチパネル１２は筐体１４の外部から直接操作することが可能である。タッチパネル１２の外周（但し、モニタ１１の前面側の外周と一体化されている。）はその全周に亘って開口部４１ａの縁部と密着し、それにより本体部４１の内部が筐体１４の外部に対して密封されている。タッチパネル１２の外周と開口部４１ａの縁部との間の密封のレベルは少なくとも水分が筐体１４の内部に入らない程度である。従って、タッチパネル１２及びそれが取り付けられたモニタ１１の前面側の部分は、開口部４１ａを密封する点で筐体１４の一部として機能する。アクリル板４２、蓋４６についても同様に筐体１４の一部として機能する。但し、タッチパネル１２に防水性がない場合にはこれを筐体１４の内部に収容し、透明な防水シート等で開口部４１ａを覆ってタッチパネル１２の防水性と操作性とを確保する必要がある。
【００２７】
図６及び図７に示すように、本体部４１の裏面側にも開口部４１ｂが設けられ、その開口部４１ｂは蓋４６にて閉じられる。蓋４６の内面側にはコンバータ１６ｂが取り付けられる。また、蓋４６の外周と本体部４１との間には全周に亘ってパッキン（不図示）が取り付けられ、それにより、開口部４１ｂからの水分の侵入が阻止されている。その他にも、筐体１４の各種の接合部はいずれもパッキンやコーキング剤によって隙間なく埋められ、それにより筐体１４の内部の防水性が維持されている。筐体１４を構成する素材は水分による錆や消毒剤による化学変化に対して耐久性の高いものが好ましく、例えばステンレス綱によって筐体１４の脚部４０及び本体部４１を構成することが望ましい。
【００２８】
以上に説明したように、本実施形態の情報処理システムによれば、端末ユニット７の内部が筐体１４によって温浴領域３の環境から隔離されているので、その内部に収容されたモニタ１１（但し、タッチパネル１２が取り付けられた前面の一部を除く）、リードライタ１３及びコンバータ１６ａが温浴領域３に直接曝されることがなく、これらが温浴領域３の環境から保護される。しかも、筐体１４の内部は換気設備２７によって換気されて管理領域５とほぼ同一環境に維持されるので、筐体１４の内部の環境はコンピュータ周辺機器の動作にとってより好ましいものとなり、筐体１４内の結露による故障が生じるおそれもない。
【００２９】
本発明は以上の実施形態に限定されず、種々の形態にて実施してよい。例えば、端末ユニット７に内蔵される周辺機器は、情報処理システムの使用目的に応じて適宜に変更してよい。換気設備２７はその必要がなければ省略可能である。複数の端末ユニット７はそれぞれ同一の構成を備えてもよいし、互いに異なる構成を備えてもよい。端末ユニット７の電源は電池によって供給されてもよい。本発明の情報処理システムは温浴施設に限らず、水場を有する各種の施設に設置可能である。水場は、プールに限らず、浴槽、水槽等の各種の槽によって構成されるものを含む。換気設備は吸気及び排気を常に並行して行なう例に限らず、吸気及び排気を一定周期で交互に繰り返すものでもよい。本発明の情報処理システムの用途は、エクササイズの方法又は手順の提示に限らず、利用者との間の各種の情報の交換に使用することができる。例えば、各種の案内、広告、宣伝の提示、インターネット等の各種のネットワークサービスの提供、ゲームの実行等に本発明の情報処理システムは利用できる。
【００３０】
【発明の効果】
以上に説明したように、本発明によれば、コンピュータの動作に適した第１の領域にコンピュータ本体を設置する一方で、第１の領域とは異なる環境の第２の環境に設置される端末ユニットについては、その内部を筐体により第２の領域の環境から隔離するようにしたので、コンピュータ本体に関しては第２の領域の環境の影響を受けることなく動作させることができ、また、端末ユニットに内蔵された周辺機器についても第２の環境の影響を直接に受けるおそれがなくなる。従って、端末ユニットを設置できる環境の制約が緩和され、プールや浴槽のような温度や水分あるいは特定の雰囲気で満たされる環境に端末ユニットを設置して、必要な情報の入力及び／又は出力を第２の領域で行なうことができる。これにより、プールサイドのような劣悪な環境でも情報の入出力が可能であり、環境的な要因による誤作動や寿命の低下も防止できる情報処理システムを提供することが可能となる。
【図面の簡単な説明】
【図１】本発明の情報処理システムが適用された温浴施設の平面図。
【図２】図１の温浴施設に適用される情報処理システムの概要を示す図。
【図３】図１のプールの外周側の壁部付近の縦断面図。
【図４】図３の壁部の上面の端末ユニットが取り付けられる部分の拡大図。
【図５】図２の端末ユニットの正面図。
【図６】図２の端末ユニットの背面図。
【図７】図２の端末ユニットの部分破断側面図。
【符号の説明】
１　温浴施設
２　プール（槽、水場）
３　温浴領域（第２の領域）
５　管理領域（第１の領域）
７　端末ユニット
８　本体ユニット
１０　入出力装置（周辺機器）
１１　モニタ（フラットパネルディスプレイ）
１２　タッチパネル
１２ａ　操作部
１３　リードライタ（周辺機器）
１４　筐体
１５　コンピュータ本体
１６ａ，１６ｂ　コンバータ（通信手段）
１７　ＬＡＮケーブル（通信手段）
２０　配管（排気管）
２１　配管（吸気管）
２３　電源ケーブル
２５，２６　ファン装置
２７　換気設備
３０　プールの壁部
３１　フロア
３２，３３　ＰＦ管（本管）
３５，３６　ＣＤ管（支管）
【図１】
2004054826.tif 000003
【図２】
2004054826.tif 000004
【図３】
2004054826.tif 000005
【図４】
2004054826.tif 000006
【図５】
2004054826.tif 000007
【図６】
2004054826.tif 000008
【図７】
2004054826.tif 000009